【手続補正書】
【提出日】平成16年3月25日(2004.3.25)
【手続補正１】
【補正対象書類名】明細書
【補正対象項目名】特許請求の範囲
【補正方法】変更
【補正の内容】
【特許請求の範囲】
【請求項１】
第１基板と、
前記第１基板と対向配置され、前記第１基板から突出している張出し部を有する第２基板と、
前記第１基板と前記第２基板との間に配置された電気光学物質と、
前記第２基板に隣接し、前記電気光学物質に対し光を出射する導光領域と前記導光領域および前記張出し部に隣接した支持領域とを有する導光板と、
前記導光領域に隣接した光源と
を具備することを特徴とする電気光学装置。
【請求項２】
前記支持領域は前記導光領域よりも厚いことを特徴とする請求項１に記載の電気光学装置。
【請求項３】
前記支持領域は第１支持部を有し、前記張出し部は前記第１支持部に固定されていることを特徴とする請求項１又は請求項２に記載の電気光学装置。
【請求項４】
前記導光板は、前記第２基板に隣接した面と対向する面に前記光源を収納する第１凹部を有することを特徴とする請求項１から請求項３のいずれかに記載の電気光学装置。
【請求項５】
前記第１凹部は前記導光領域と前記支持領域との間に配置されていることを特徴とする請求項４に記載の電気光学装置。
【請求項６】
前記導光板は、前記第２基板に隣接した面と対向する面に複数の第２支持部を有し、前記第１凹部は前記第２支持部間に配置されていることを特徴とする請求項４又は請求項５のいずれかに記載の電気光学装置。
【請求項７】
前記導光板は、前記第２基板に隣接した面と対向する面に第２凹部を有し、前記第２凹部は前記支持領域内にあることを特徴とする請求項１から請求項６のいずれかに記載の電気光学装置。
【請求項８】
第１基板と、
前記第１基板と対向配置され、前記第１基板から突出している張出し部を有する第２基板と、
前記第１基板と前記第２基板との間に配置された電気光学物質と、
前記第１基板に隣接し、前記電気光学物質に対し光を出射する導光領域と前記導光領域およびおよび前記張出し部に隣接した支持領域とを有する導光板と、
前記導光領域に隣接した光源と
を具備することを特徴とする電気光学装置。
【請求項９】
前記支持領域は前記導光領域よりも厚いことを特徴とする請求項８に記載の電気光学装置。
【請求項１０】
前記導光板は、前記第１基板に隣接した面と対向する面に前記光源を収納する第１凹部を有することを特徴とする請求項８又は請求項９のいずれかに記載の電気光学装置。
【請求項１１】
前記第１凹部は前記導光領域と前記支持領域との間に配置されていることを特徴とする請求項１０に記載の電気光学装置。
【請求項１２】
前記導光板は、前記第２基板に隣接した面と対向する面に複数の第２支持部を有し、前記第１凹部は前記第２支持部間に配置されていることを特徴とする請求項１０又は請求項１１のいずれかに記載の電気光学装置。
【請求項１３】
前記導光板は、前記第２基板に隣接した面と対向する面に第２凹部を有し、前記第２凹部は前記支持領域内にあることを特徴とする請求項８から請求項１２のいずれかに記載の電気光学装置。
【請求項１４】
前記導光板を収納し、凹部を有するフレームを更に備え、前記導光板は突起を有し、前記突起は前記凹部とかみ合うことを特徴とする請求項１から請求項１３のいずれかに記載の電気光学装置。
【請求項１５】
請求項１から請求項１４いずれか一項に記載の電気光学装置を有することを特徴とする電子機器。
【手続補正２】
【補正対象書類名】明細書
【補正対象項目名】００６４
【補正方法】変更
【補正の内容】
【００６４】
回路基板１０は第１面１０ｃ及び第２面１０ｄを有し、回路基板１０の端部１０ａの第１面１０ｃには、張出し部２ａ上に配置された第１端子６ａ及び第２端子からなる端子部６とＡＣＦにより導電接続される配線１４が形成されている。更に、回路基板１０の他端部１０ｂの第１面１０ｃには、配線１４と電気的に接続される回路素子としての複数の半導体装置１１（本実施形態においては５つ）が配置され、これら半導体装置１１の配置方向に沿って複数の光源部としてのＬＥＤ１２（本実施形態においては４つ）が配置されている。半導体装置１１は第１透明電極４ａ及び第２透明電極４ｂに対して駆動信号を供給するものである。更に、回路基板１０の第１面１０ｃ上には、外部から半導体装置１１に対して制御信号や電源などを供給するための配線（図示せず）が形成されている。


【手続補正３】
【補正対象書類名】明細書
【補正対象項目名】００７９
【補正方法】変更
【補正の内容】
【００７９】
第２実施形態における液晶装置１０は、液晶パネル１００の配置が第１実施形態と異なる。


【手続補正４】
【補正対象書類名】明細書
【補正対象項目名】００８０
【補正方法】変更
【補正の内容】
【００８０】
これに伴い、第２実施形態においては、張出し部２ａを支持する導光板１２０の第１支持部１２０ａの厚みが、第１実施形態における第１支持部２１０ａの厚みよりも厚くなっている。本実施形態においては、第１支持部１２０ａの導光領域１２０ｄを基準としたときの高さは、液晶層９、第１基板３、第１偏光板８ａ、プリズムシート２２０、プリズムシート２２１及び拡散板２２２を重ねた合計の厚み分の値にほぼ相当する。


【手続補正５】
【補正対象書類名】明細書
【補正対象項目名】００８２
【補正方法】変更
【補正の内容】
【００８２】
また、第１実施形態では第１支持部２１０ａと張出し部２ａとは接着シート２０により接着されているのに対し、本実施形態では接着シートを設けていないが、回路基板１０と第１支持部１２０ａとの間に接着シートを設けてもよい。尚、この場合、接着シートは、第１実施形態と同様に液晶パネル１００とバックライト１３０とを接着する額縁状の接着シートを第１支持部１２０ａまで延在した形状のものを用いることもできるし、液晶パネル１００とバックライト１３０とを接着する額縁状シート２０と別に設けても良い。


【手続補正６】
【補正対象書類名】明細書
【補正対象項目名】００８８
【補正方法】変更
【補正の内容】
【００８８】
配線基板４１０は第１面４１０ｃ及び第２面４１０ｄを有し、配線基板４１０の端部４１０ａの第１面４１０ｃには、張出し部２ａ上に配置された第１端子４０６ａ及び第２端子からなる端子部とＡＣＦにより導電接続される配線が形成されている。更に、配線基板４１０の他端部４１０ｂの第２面４１０ｄにはＬＥＤ１２が例えば４つ固定配置されている。


【手続補正７】
【補正対象書類名】明細書
【補正対象項目名】００９９
【補正方法】変更
【補正の内容】
【００９９】
液晶装置１として組み立てられた場合、フレーム３００に反射板２２３及び導光板５１０が配置され、フレームの凹部に導光板５１０の突出部がはめ込まれることにより反射板２２３及び導光板５１０は固定される。更に、導光板５１０上に、拡散板２２２、２枚のプリズムシート２２１及び２２０、額縁状の接着シート４２０が配置され、接着シート４２０により、拡散板２２２、２枚のプリズムシート２２１及び２２０は、導光板５１０に固定配置される。更に、接着シート４２０上に液晶パネル１００が配置され、接着シート４２０により液晶パネル１００とバックライト５００とは接着固定される。また、半導体装置４１１と第１支持部５１０ａとは、両面テープからなる第２接着層５２０によって接着固定されている。


【手続補正８】
【補正対象書類名】明細書
【補正対象項目名】０１０３
【補正方法】変更
【補正の内容】
【０１０３】
(第４実施形態)以下、図１０を用いて本発明による電気光学装置の一例としてのＣＯＧ方式を採用した単純マトリクス型透過型液晶装置について説明する。本実施形態は、第３実施形態と比較して、張出し部２ａを支える部分の導光板形状が異なるという点で相違し、以下、第３実施形態と同様の構造については説明を省略する。


【手続補正９】
【補正対象書類名】明細書
【補正対象項目名】０１０５
【補正方法】変更
【補正の内容】
【０１０５】
本実施形態における導光板７１０は、液晶パネル１００の表示領域に対して光を出射する導光領域７１０ｄと、液晶装置６０１として組み立てときに張出し部２ａを支持する第１支持部７１０ａが配置される支持領域７１０ｇと、支持領域部７１０ｇと導光領域７１０ｄとの間の領域に配置されたＬＥＤ１２を収納する４つの凹部７１０ｂが設けられたＬＥＤ領域７１０ｆとを有する。また導光板７１０は、液晶パネル１００側に向けられた光出射面となる第１面７１１ａと、この第１面７１１ａと対向する第２面７１１ｂとを有している。


【手続補正１０】
【補正対象書類名】明細書
【補正対象項目名】０１１４
【補正方法】削除
【補正の内容】
【手続補正１１】
【補正対象書類名】明細書
【補正対象項目名】０１１５
【補正方法】変更
【補正の内容】
【０１１５】
第３実施形態では第１支持部５１０ａと半導体装置４１１とは接着シート５２０により接着されているのに対し、本実施形態では接着シート４２１は、液晶パネル１００とバックライト８００とを接着する額縁状の接着シートを第１支持部８１０ａまで延在した形状のものを用いている。


【手続補正１２】
【補正対象書類名】明細書
【補正対象項目名】０１１６
【補正方法】変更
【補正の内容】
【０１１６】
尚、本実施形態において、第３実施形態における導光板５１０の第１凹部５１０ｂ、導光領域５１０ｄ、ＬＥＤ領域５１０ｆ及び支持領域５１０ｇは、それぞれ導光板８１０の第１凹部８１０ｂ、導光領域８１０ｄ、ＬＥＤ領  域８１０ｆ、支持領域８１０ｇに相当する。


【手続補正１３】
【補正対象書類名】明細書
【補正対象項目名】０１２１
【補正方法】変更
【補正の内容】
【０１２１】
対向基板４０２、アレイ基板４０３はそれぞれ矩形状を有し、対向基板４０２は、アレイ基板４０３から張り出した張出し部４０２ａを有している。本実施形態においては、データ線駆動回路の一部を構成する半導体装置９１１及び走査線駆動回路の一部を構成する  半導体装置（図示せず）が、張出し部４０２ａのアレイ基板４０３側の面に実装されている。張出し部４０２ａのアレイ基板４０３と対向する面上には、走査線４０４が延在して走査線駆動用の半導体装置９１１と電気的に接続する第１配線９０５と、走査線駆動用の半導体装置９１１と電気的に接続する第１端子９０６と、データ線４１４とシール材７に混入された導電材を介して電気的に接続されデータ線駆動用の半導体装置(図示せず)と電
気的に接続する第２配線(図示せず)と、この第２配線と電気的に接続するデータ線駆動用の半導体装置と電気的に接続する第２端子(図示せず)とが形成されている。第１端子９０６及び第２端子は、配線が形成された可撓性基板としての配線基板４１０の配線と電気的に接続し、配線基板４１０を介して外部から、張出し部４０２ａに実装された走査線駆動回路の半導体装置９１１及びデータ線駆動回路の半導体装置に対して制御信号や電源などが供給される。液晶パネル４００においては、対向する走査線及び画素電極、これらにより挟持される液晶とにより画素が形成される。そして、各画素に印加する電圧を選択的に変化させることによって液晶の光学特性を変化させ、バックライトから照射される光は各画素のこの液晶を透過することによって変調される。